(57)【要約】      （修正有）【課題】大径ディスクと小径ディスクとでクランプ動作等を行うトリガー部材の動作位置が同じであり、クランプ動作等を行う機構が簡単となり、位置精度も高くすることができ、クランプ動作等の誤動作が防止されるローディング機構。【解決手段】トッププレートにディスク挿入方向に摺動可能に支持された第１のスライダと、第１のスライダにディスク挿入方向と直角方向に摺動可能に支持され、互いに反対方向に移動する第２のスライダおよび第３のスライダと、第２のスライダおよび第３のスライダに夫々支持されディスクの挿入方向前側縁と当接しディスクの上下方向位置を規制する一対のディスク前側ガイド部材とを設け、小径ディスクが挿入されたときは前側ガイド部材はガイド溝の直線部に案内され、大径ディスクが挿入されたときは、ガイド溝の傾斜部に案内され第１のスライダはトッププレートに設けられたストッパと当接して停止してトリガー部材を作動させる。【選択図】図３
2008021381.tif 000002
【特許請求の範囲】
【請求項１】
シャーシと一体のトッププレートと、前記トッププレートにディスク挿入方向に摺動可能に支持された第１のスライダと、前記第１のスライダにディスク挿入方向と直角方向に摺動可能に支持され、互いに反対方向に移動する第２のスライダおよび第３のスライダと、前記第２のスライダおよび第３のスライダに夫々支持されディスクの挿入方向前側縁と当接しディスクの上下方向位置を規制する一対のディスク前側ガイド部材と、前記第１のスライダを前側に付勢する第１の付勢部材と、前記第２のスライダおよび第３のスライダを夫々中心方向に付勢する第２の付勢部材と、前記トッププレートに設けられディスク挿入方向に延びる直線部と前記直線部から分岐され外側方向に延びる傾斜部とを有し前記ディスク前側ガイド部材を案内する１対のガイド溝とを有し、小径ディスクが挿入されたときは前記前側ガイド部材は前記直線部に案内され、大径ディスクが挿入されたときは前記前側ガイド部材は前記傾斜部に案内され前記第１のスライダは前記トッププレートに設けられたストッパと当接して停止し、前記第１のスライダが停止することによりディスククランプ動作を起動するトリガー部材が作動するように構成したディスク装置のローディング機構。
【請求項２】
前記前側ガイド部材は前記第２のスライダおよび第３のスライダに回転自在に支持された鼓形のローラである請求項１のディスク装置のローディング機構。
【請求項３】
前記第２のスライダおよび第３のスライダの少なくとも一方に回動自在に支持されたアームに立設されたピンが前記第１のスライダに設けられディスク挿入方向と直角方向に延びる直線部と前記直線部から円弧状に延びる係止部とを有するガイド溝を挿通しており、大径ディスクが挿入されたときはディスク周囲縁により前記アームを回動させて前記ピンを前記円弧状に延びる係止部から前記直線部に移動させて前記第２のスライダおよび第３のスライダの前記第１のスライダへのロックが解除される請求項１または２のディスク装置のローディング機構。
【請求項４】
先端方向に先細の送りローラと前記送りローラと対抗する位置に配置され前記送りローラと連動して互いに近接する方向または離れる方向に移動可能でありディスクの上下方向位置を規制する従動ローラとによりディスクを挟んで再生位置方向に送り込む請求項１から３のいずれかに記載したディスク装置のローディング機構。
【請求項５】
前記第１のスライダを前側に付勢する第１の付勢部材がばねで回動付勢されたレバーで構成されており、前記レバーにより前記トリガー部材を作動させるように構成した請求項１から４のいずれかに記載したディスク装置のローディング機構。
【請求項６】
前記第１のスライダが前記トッププレートに設けられたストッパと当接して停止したときにディスクはターンテーブルでクランプされる位置よりディスク挿入方向奥側に僅かに移動しており、前記ターンテーブルが上昇してディスクを挿入方向前側に誘い込んでクランプした後、前記クランプ動作に伴い前記ディスク前側ガイド部材をディスクと当接させた状態でディスク挿入方向前側に後退した前記第１のスライダを前記トリガー部材により起動された部材によりディスク挿入方向奥側に再度動作させて前記ディスク前側ガイド部材をディスクから離すように構成した請求項１から５のいずれかに記載したディスク装置のローディング機構。
【発明の詳細な説明】
【技術分野】
【０００１】
この発明はディスク装置に係わり、特に、大径ディスクおよび小径ディスクを同一のターンテーブルにクランプさせるローディング機構に関する。
【背景技術】
【０００２】
従来から車載用ディスクプレーヤ等のディスク装置で大径ディスクである１２ｃｍＣＤおよび小径ディスクである８ｃｍＣＤの双方を前面のスロットから挿入してローディングするスロットイン方式のローディング機構が知られている。
【０００３】
図１１〜図１５によりそのような従来のローディング機構の例を説明する。図１１は従来のディスク装置のローディング機構の例を示す分解斜視図である。図１１に示すシャーシ１とカバー板金５の内部にディスクを再生する再生機構２およびローディング機構４が収容されて保持されている。ローラ機構３はローディング機構４の前側に配置され装置前面のスロットから挿入された１２ｃｍＣＤまたは８ｃｍＣＤをローディング機構４に送り込む。
【０００４】
次に、図１２および図１３により１２ｃｍＣＤをローディングするときの動作を説明する。図１２は１２ｃｍＣＤ１８ａをローディングする途中の状態を示す。１２ｃｍＣＤが図１１に示すローラ機構３により送られると、ローディング機構４のシャーシに回動自在に支持され、夫々引っ張りコイルばね８および９により回動付勢されているアーム６および７は、それに立設されたピンが１２ｃｍＣＤ１８ａに押され、反時計方向および時計方向に回動される。これにより１２ｃｍＣＤ１８ａのセンタリングが行われる。
【０００５】
さらに、１２ｃｍＣＤ１８ａが前進すると、同様に引っ張りコイルばね１２により夫々反時計方向および時計方向に付勢されているアーム１０およびアーム１１が夫々時計方向および反時計方向に回動され、１２ｃｍＣＤ１８ａのセンタリングされる。なお、アーム１１の溝１１ａに係合しているアーム１０のピン１０ａによりアーム１０および１１は連動して回動する。
【０００６】
通常はアーム１０はそのピン１０ｂがアーム１３の凹部１３ａと係合して回動しないようにロックされている。従って、アーム１１もロックされている。なお、アーム１３のピン１３ｂはローディング機構のシャーシの長穴に係合しており、アーム１３は引っ張りコイルばね１３ｄにより反時計方向に回動付勢されている。
【０００７】
アーム１４の軸１４ａはアーム１１の穴に嵌合し、さらに、アーム１４のピン１４ｂがスライダ１５の溝１５ａに嵌合している。スライダ１５は引っ張りコイルばね１６により図示していないギヤと噛み合わないように奥側に引き寄せられている。
【０００８】
１２ｃｍＣＤ１８ａがローデロィングされる場合は、１２ｃｍＣＤ１８ａの外周縁がアーム１３のピン１３ｂを押すことによりアーム１０のピン１０ｂを係止していた凹部１３ａがピン１０ｂから外れ、上記したようにアーム１０および１１が回動する。
【０００９】
図１３は１２ｃｍＣＤ１８ａがクランプ開始位置まで前進した状態を示す。このときは１２ｃｍＣＤ１８ａの外周縁でアーム１１のピンが押されることによりアーム１１が回動して、アーム１４のピン１４ｂがスライダ１５の溝１５ａの端を押すことによりスライダ１５が左方向に移動してスライダ１５に設けられたラックが図示していないギヤと噛み合うようになる。
【００１０】
そして、スライダ１５がギヤにより左方向に送られ、スライダ１５の溝１５ｂに係合しているクランパプレート１７のピンを押して、クランパプレート１７を回動させ図示していないクランパを下げて１２ｃｍＣＤ１８ａをクランプする。
【００１１】
次に、図１４および図１５により８ｃｍＣＤをローディングするときの動作を説明する。図１４は８ｃｍＣＤのローデング途中の状態を示す平面図、図１３は同ディスク装置における８ｃｍＣＤのローディング終了状態を示す平面図である。
【００１２】
８ｃｍＣＤが図１１に示すローラ機構３により送られると、図１４に示すようにアーム６および７は、それに立設されたピンが８ｃｍＣＤ１８ｂに押され、反時計方向および時計方向に回動される。これにより８ｃｍＣＤ１８ｂのセンタリングが行われる。しかしながら、８ｃｍＣＤ１８ｂの外径が小さいため、８ｃｍＣＤ１８ｂの外周縁がアーム１３のピン１３ｂを押すことがなく、アーム１０のピン１０ｂを係止している凹部１３ａがピン１０ｂから外れず、アーム１０および１１がロックされたままとなる。
【００１３】
図１５は８ｃｍＣＤ１８ｂがさらに前進してクランプ開始位置に到達した状態を示す。このときアーム１０およびアーム１１のロックが解除されていないため、前進した８ｃｍＣＤ１８ｂの外周縁がアーム１４のピン１４ｃを押すことによりアーム１４は回動してアーム１４のピン１４ｂがスライダ１５の溝１５ａの端を押すことによりスライダ１５が左方向に移動してスライダ１５に設けられたラックが図示していないギヤと噛み合うようになる。これにより、８ｃｍＣＤ１８ｂが再生位置にきた状態で、１２ｃｍＣＤ１８ａの場合と同様にスライダ１５を駆動させてクランプ動作が行われる。
【００１４】
特開平８−７４３３号公報に開示された光ディスクのローディング機構は、８ｃｍＣＤがローディングされるときは、回転板１８、１９は８ｃｍＣＤにより回動されずスライド板１７が前進した位置で８ｃｍＣＤを停止させる。
【００１５】
１２ｃｍＣＤがローディングされるときは、回転板１８、１９は１２ｃｍＣＤにより回動され、スライド板１７が１２ｃｍＣＤ押されて後退した位置で１２ｃｍＣＤを停止させる。このように８ｃｍＣＤおよび１２ｃｍＣＤの双方がターンテーブル１２でクランプされる位置に停止する。
【００１６】
特開２０００−９０５３１号公報に開示されたディスクプレーヤは、８ｃｍＣＤがローディングされるときは、第１ディスク検知レバー２８が大きく回動しないため切換スライダ１１０のロックが解除されず切換スライダ１１０が前進した位置で切換スライダ１１０のストッパピン１２３、１２３で８ｃｍＣＤを停止させる。
【００１７】
１２ｃｍＣＤがローディングされるときは、第１ディスク検知レバー２８が大きく回動し切換スライダ１１０のロックが解除され、切換スライダ１１０が１２ｃｍＣＤに押され後退した位置で切換スライダ１１０のストッパピン１２３、１２３で１２ｃｍＣＤを停止させる。
【特許文献１】特開平８−７４３３号公報、段落００３６〜００４６、段落００４３〜００４９、段落００５４〜００５５、図１、図４、図７、図８
【特許文献２】特開２０００−９０５３１号公報、段落００１６〜００１７、段落００２９〜００４２、図４〜、図１４
【発明の開示】
【発明が解決しようとする課題】
【００１８】
上記した従来のディスク装置のローディング機構はディスクを停止させる部材の位置が８ｃｍＣＤをローディングしているときと、１２ｃｍＣＤをローディングしているときとで変わる。そして、ディスクを停止させる部材によりクランプ動作を開始させるトリガー開始部材を動作させるので、トリガー開始部材も８ｃｍＣＤをローディングしているときと１２ｃｍＣＤをローディングしているときとでその位置を変えることとなりクランプ動作を開始させる機構が複雑となる。
【００１９】
また、８ｃｍＣＤはディスクを停止させる部材に接触すると、直ちに停止するので、８ｃｍＣＤの前縁を停止位置まで上下方向の位置を規制してガイドする部材がない。そのため、ディスクの高さ方向（上下方向）の位置が不安定となり、ターンテーブル、クランパ等内部のディスク移動路近傍の部材とディスクが当たり、ディスクの搬送が妨げられたり、ディスクが傷つけられる恐れがあった。
【００２０】
なお、搬送中のディスクの上下位置を規制するためにディスクの上面および下面と当接するディスクガイドを設けると、ディスク面が擦れて傷がつき、さらに、装置の構造が複雑となるという問題が発生する。
【００２１】
また、ディスクを停止させる部材はディスクを挿入する前に必ず８ｃｍＣＤを停止させる位置にロックされていなければならず、位置がずれていると、８ｃｍＣＤを挿入したときにディスクがクランプ位置よりも奥に入ってしまい、送りローラとディスクが離れてディスクを取出すことができなくなるという問題が発生する。
【００２２】
この発明は上記した問題点を解決するためになされたものであって、ディスクの前側部分の上下位置を規制する部材がディスクと当接状態で前進してディスクをガイドし、大径ディスクおよび小径ディスクの双方に対して同じ位置で停止することによりクランプ動作を開始させるトリガー開始部材を動作させるディスク装置のローディング機構を提供することにある。
【課題を解決するための手段】
【００２３】
この発明のディスク装置のローディング機構は、シャーシと一体のトッププレートと、前記トッププレートにディスク挿入方向に摺動可能に支持された第１のスライダと、前記第１のスライダにディスク挿入方向と直角方向に摺動可能に支持され、互いに反対方向に移動する第２のスライダおよび第３のスライダと、前記第２のスライダおよび第３のスライダに夫々支持されディスクの挿入方向前側縁と当接しディスクの上下方向位置を規制する一対のディスク前側ガイド部材と、前記第１のスライダを前側に付勢する第１の付勢部材と、前記第２のスライダおよび第３のスライダを夫々中心方向に付勢する第２の付勢部材と、前記トッププレートに設けられディスク挿入方向に延びる直線部と前記直線部から分岐され外側方向に延びる傾斜部とを有し前記ディスク前側ガイド部材を案内する１対のガイド溝とを有し、小径ディスクが挿入されたときは前記前側ガイド部材は前記直線部に案内され、大径ディスクが挿入されたときは前記前側ガイド部材は前記傾斜部に案内され前記第１のスライダは前記トッププレートに設けられたストッパと当接して停止し、前記第１のスライダが停止することによりディスククランプ動作を起動するトリガー部材が作動するように構成したものである。
【００２４】
また、前記ディスク装置のローディング機構において、前記前側ガイド部材を前記第２のスライダおよび第３のスライダに回転自在に支持された鼓形のローラとしたものである。
【００２５】
また、前記各ディスク装置のローディング機構において、前記第２のスライダおよび第３のスライダの少なくとも一方に回動自在に支持されたアームに立設されたピンが前記第１のスライダに設けられディスク挿入方向と直角方向に延びる直線部と前記直線部から円弧状に延びる係止部とを有するガイド溝を挿通しており、大径ディスクが挿入されたときはディスク周囲縁により前記アームを回動させて前記ピンを前記円弧状に延びる係止部から前記直線部に移動させて前記第２のスライダおよび第３のスライダの前記第１のスライダへのロックが解除されるものである。
【００２６】
また、前記各ディスク装置のローディング機構において、先端方向に先細の送りローラと前記送りローラと対抗する位置に配置され前記送りローラと連動して互いに近接する方向または離れる方向に移動可能でありディスクの上下方向位置を規制する従動ローラとによりディスクを挟んで再生位置方向に送り込むものである。
【００２７】
また、前記各ディスク装置のローディング機構において、前記第１のスライダを前側に付勢する第１の付勢部材がばねで回動付勢されたレバーで構成されており、前記レバーにより前記トリガー部材を作動させるように構成したものである。
【００２８】
さらに、前記各ディスク装置のローディング機構において、前記第１のスライダが前記トッププレートに設けられたストッパと当接して停止したときにディスクはターンテーブルでクランプされる位置よりディスク挿入方向奥側に僅かに移動しており、前記ターンテーブルが上昇してディスクを挿入方向前側に誘い込んでクランプした後、前記クランプ動作に伴い前記ディスク前側ガイド部材をディスクと当接させた状態でディスク挿入方向前側に後退した前記第１のスライダを前記トリガー部材により起動された部材によりディスク挿入方向奥側に再度動作させて前記ディスク前側ガイド部材をディスクから離すように構成したものである。
【発明の効果】
【００２９】
この発明のディスク装置のローディング機構によれば、ディスクが送りローラおよび押えローラと従動ローラによりディスクの挿入方向前側縁がディスクの上下方向位置を規制する一対のディスク前側ガイド部材と当接するまでは送りローラ、押えローラ、従動ローラおよびディスクが軽く接触する挿入口の上面で上下位置が規制される。
【００３０】
そして、前記ディスク前側ガイド部材と当接し再生位置まで送られる間は送りローラ、押えローラと従動ローラおよび前記ディスク前側ガイド部材で上下位置が規制されるので、ディスクの上下の面がターンテーブル、ガイド部材等と強く接触することがなく傷付けられる恐れがない。また、装置内部にディスクの上下方向のガイド部材を設ける必要がないので構造が簡単である。
【００３１】
さらに、第１のスライダが８ｃｍＣＤと１２ｃｍＣＤとで同一位置で停止して、クランプ動作を開始させるトリガー部材を動作させるので、トリガー部材の動作位置が同じであり、クランプ動作等を行う機構が簡単となり、また、位置精度も高くすることができ、クランプ動作等の誤動作が防止される。そして、小径ディスクがディスク送り部材から外れ装置内部に落ち込み取出せなくなる恐れがない。
【発明を実施するための最良の形態】
【００３２】
以下この発明を実施するための最良の形態を実施例に即して説明する。
【実施例１】
【００３３】
図１はこの発明の実施例であるディスク装置のローディング機構を示す分解斜視図である。図１に示すシャーシ１９は機構全体を保持するものでその前面（左前方）にはディスクを挿入・排出するための切り欠きが設けられている。
【００３４】
シャーシ１９のディスクの挿入口側の左方には送りローラ２０がギヤ２１の固着された駆動軸２２に左右方向移動自在かつ回転が伝えられるように嵌合しており、スライダ２３によりその左右方向の位置が規制される。ギヤ２１にはモータ２５により駆動される図示していないギヤ列が噛み合っており、送りローラ２０はギヤ２１および駆動軸２２を介してモータ２５により回転駆動される。
【００３５】
スライダ２３には押さえローラ２４が送りローラ２０に圧接されるように付勢されて回転自在に支持されている。スライダ２７はスライダ２３と対向するように配置されスライダ２７とスライダ２３は互いに逆方向に移動するようにシャーシ１９に支持されている。すなわち、スライダ２７とスライダ２３の間で回転可能にシャーシ１９に支持されたギヤ２８はスライダ２７とスライダ２３の互いに対向するラックと噛み合っている。
【００３６】
鼓形の従動ローラ２６は押さえローラ２４および送りローラ２０と対向する位置でスライダ２７に回転可能に支持されている。スライダ２７とシャーシ１９の間に掛け渡された引っ張りコイルばね２９はスライダ２７を図示の左方向に付勢しており、従って従動ローラ２６は押さえローラ２４および送りローラ２０と互いに近付く方向に付勢され、その間に挿入されたディスクの外縁を上下方向位置を規制するように挾持する。
【００３７】
トッププレート３９はシャーシ１９の上端に固定され、中央部に前後方向に延びる溝３９ｂ、両端部に前後方向に延びる溝３９ａ、３９ａと溝３９ｂの両側に直線部と前記直線部から分岐され外側方向に延びる傾斜部とを有するガイド溝３９ｃ、３９ｃが設けられている。
【００３８】
第１のスライダ３４はそのピン３４ｄ、３４ｄが溝３９ａ、３９ａと係合してトッププレート３９に前後方向移動自在に支持されている。第１のスライダ３４の後方位置はトッププレート３９に設けられたストッパ３９ｄ、３９ｄにより規制される。
【００３９】
第３のスライダ３３は第２のスライダ３２と対向するように配置され第３のスライダ３３と第２のスライダ３２は互いに逆方向に移動するように第１のスライダ３４に支持されている。すなわち、第３のスライダ３３と第２のスライダ３２の間で回転可能に第１のスライダ３４に支持されたギヤ３５は第３のスライダ３３と第２のスライダ３２の互いに対向するラックと噛み合っている。
【００４０】
第２のスライダ３２に立設されたピン３２ａは第１のスライダ３４の溝３４ｃを挿通し、鼓形のローラ３０を回転自在に支持している。第３のスライダ３３に立設されたピン３３ａは第１のスライダ３４の溝３４ｃを挿通し、鼓形のローラ３１が回転自在に支持されている。第３のスライダ３３と第１のスライダ３４の間に掛け渡された引っ張りコイルばね３６は第３のスライダ３３を図示の左方向に付勢しており、従って、ローラ３１とローラ３０は互いに遠ざかる方向に付勢され、その間に挿入されたディスクの外縁を上下方向位置を規制するように挾持する。
【００４１】
第２のスライダ３２に回動自在に支持され、捩じりコイルばね３８で時計方向に付勢されているアーム３７のピン３７ａは第１のスライダ３４の直線部から円弧状に延びる係止部を有するガイド溝３４ａを挿通している。
【００４２】
軸４０ｃの上下に上側レバーおよび下側レバーが固着されているレバー４０は軸４０ｃ回りに回動自在にシャーシ１９に支持され、捩じりコイルばね４１により反時計方向に付勢され、上側レバーに設けられた溝４０ａには第１のスライダ３４に立設され、トッププレート３９の溝３９ｂを挿通したピン３４ｂが挿通している。下側レバーにはピン４０ｂが下方に立設されている。
【００４３】
再生ユニットシャーシ４９にはディスクモータが固定され、ディスクモータの回転軸にはボールクランプによるセルフチャッキング方式（クランパを必要とせずディスクの中心穴に挿通される円筒形状部の側面の窓からばねで突出するように付勢された複数のボールとターンテーブル面とでディスクを挾持するもので、例えば、特開平５−１５１６７５号公報に開示されている）のターンテーブル４９ｃが固着されている。再生ユニットシャーシ４９はさらに図示していない光ピックアップおよびその駆動機構を保持している。
【００４４】
再生ユニットシャーシ４９はその両側面の後方に軸４９ｂ、４９ｂが立設され、軸４９ｂ、４９ｂ回りに回動自在にシャーシ１９に支持されている。再生ユニットシャーシ４９の前面にはシャーシ１９の裏側に配置されたスライダ４２のカム溝４２ｂ、４２ｂを挿通するピン４９ａ、４９ａが立設されている。
【００４５】
スライダ４２はシャーシ１９に左右方向に移動可能に支持され、引っ張りコイルばね４７により右方向に付勢され、通常はスライダ４２のラック４２ａはモータ２５により図示していないギヤ列を介して回転駆動されるギヤ４３と噛み合わない位置にある。
【００４６】
スライダ４２と対向する位置にスライダ４４がシャーシ１９に左右方向に移動可能に支持されている。スライダ４２とスライダ４４の間にシャーシ１９に回動自在に支持されたレバー４５の夫々のピンは夫々スライダ４２の溝４２ｃおよびスライダ４４の溝４４ｂを挿通しており、スライダ４４はスライダ４２により駆動される。スライダ４４にはスライダ２７と当接するピン４４ｃが立設されている。レバー４６はシャーシ１９により回転自在に支持され、引っ張りコイルばね４８により時計方向に付勢されている。
【００４７】
次に、上記構成のディスク装置のローディング機構の動作を説明する。図２は上記ローディング機構にディスクが挿入される前の状態を示し、図３〜図６は上記ローディング機構に１２ｃｍＣＤ１８ａをローディングする各段階を順次示している。
【００４８】
ディスクが挿入される前では図２に示すように、送りローラ２０および従動ローラ２６はスライダ２３およびスライダ２７がギヤ２８により連動し、引っ張りコイルばね２９で付勢されていることにより内側に寄せられている。
【００４９】
奥側のローラ３０、３１は第２のスライダ３２および第３のスライダ３３がギヤ３５により連動し、引っ張りコイルばね３６で付勢されているが、トッププレート３９の溝３９ｃで開かないように規制されている。第１のスライダ３４はレバー４０により挿入口方向に付勢され最前進位置で図示いないストッパに圧接されている。また、アーム３７は第１のスライダ３４のガイド溝３４ａの係止部に係合している。
【００５０】
図３は１２ｃｍＣＤ１８ａを挿入し、送りローラ２０および押さえローラ２４と従動ローラ２６とにより送られ奥側のローラ３０とローラ３１に当接した状態を示す。ディスクを筐体前面にスリット状に形成された挿入口から差し込み図示していないディスク検出スイッチが作動すると送りローラ２０はディスク引き込み方向に回転し、デイスクと接触すると同時にディスクを引き込んで奥側に送る。すなわち、図３に示す状態となる。
【００５１】
この間、１２ｃｍＣＤ１８ａは送りローラ２０および押さえローラ２４と従動ローラ２６とにより送られ、送りローラ２０および押さえローラ２４と従動ローラ２６はスライダ２３およびスライダ２７がギヤ２８により連動することにより外側に開く。
【００５２】
そして、１２ｃｍＣＤ１８ａの外縁が奥側のローラ３０とローラ３１に当接状態となると第２のスライダ３２および第３のスライダ３３を介して第１のスライダ３４を奥側に押すが奥側のローラ３０とローラ３１はトッププレート３９のガイド溝３９ｃ、３９ｃの直線部にあるため第２のスライダ３２および第３のスライダ３３は外側に開くことができず、第１のスライダ３４と一体に移動する。しかしながらアーム３７のピン３７ａは１２ｃｍＣＤ１８ａの外縁に押されてガイド溝３４ａの直線部まで移動しており、第２のスライダ３２および第３のスライダ３３の第１のスライダ３４に対するロック状態は解除されている。
【００５３】
図４は奥側のローラ３０とローラ３１がトッププレート３９のガイド溝３９ｃ、３９ｃの分岐部を越えて奥側に移動している状態を示す。分岐部では第２のスライダ３２および第３のスライダ３３が引っ張りコイルばね３６により外側に付勢され、第１のスライダ３４に対するロック状態が解除されているため、ガイド溝３９ｃ、３９ｃの外側傾斜部に導かれるようになる。そして、第１のスライダ３４が奥側に移動することにより、レバー４０は第１のスライダ３４のピン３４ｂで時計方向に回動される。
【００５４】
図５は、さらに、１２ｃｍＣＤ１８ａがクランプ開始位置まで奥側に送られ、第１のスライダ３４がトッププレート３９のストッパ３９ｄ、３９ｄと当接して停止した状態を示している。このときレバー４０の時計方向の回動によりピン４０ｂがスライダ４２の右端を押して、スライダ４２のラック４２ａがギヤ４３と噛み合うようになる。なお、１２ｃｍＣＤ１８ａはターンテーブル４９ｃの真上より僅かに奥側に送られているが、ターンテーブル４９ｃが誘い込める位置にある。
【００５５】
図６は、１２ｃｍＣＤ１８ａがクランプされ再生状態となった状態を示している。すなわち、スライダ４２のラック４２ａがギヤ４３と噛みあいラック４２ａがギヤ４３により左方向に送られると、図１に示すスライダ４２のカム溝４２ｂ、４２ｂが再生ユニットシャーシ４９のピン４９ａ、４９ａを押上げ、再生ユニットシャーシ４９が軸４９ｂ、４９ｂ回りに回動する。
【００５６】
すると、ターンテーブル４９ｃが上昇して、そのボールが転がってディスクの上側に位置するようになり、ボールとターンテーブル４９ｃの上面でディスクを挾持する。このときディスクは押えローラ２４、従動ローラ２６、ローラ３０およびローラ３１によりターンテーブル４９ｃで持ち上げられないように上方への動きが規制されている。
【００５７】
その後、スライダ４２がさらに所定距離左方向に送られると、スライダ４２の溝４２ｃの端でレバー４５のピンを押し、レバー４５が反時計方向に回動され、レバー４５のピンでスライダ４４の溝４４ｂを押してスライダ４４が右方向に移動される。
【００５８】
そして、スライダ４４のラック４４ａがギヤ４３と噛み合うと、スライダ４４がギヤ４３により右方向に送られ、そのピン４４ｃでスライダ２７を右方向に移動させ、それと連動するスライダ２３を左方向に移動させる。さらに、スライダ４４がレバー４６のピンを押すことによりレバー４６は反時計方向に回動して、レバー４６のピンがレバー４０を押してレバー４０を捩じりコイルばね４１の弾力に抗して時計方向に回動させる。
【００５９】
上記の動作により送りローラ２０、押えローラ２４、従動ローラ２６、ローラ３０およびローラ３１がディスクから離れディスク、すなわち、この場合１２ｃｍＣＤ１８ａはターンテーブル４９ｃにより回転駆動される再生状態となる。ディスクを装置から排出するアンローディング動作はモータ２５を逆回転させ、ギヤ４３およびギヤ２１を上記と逆方向に回転させることにより行われる。
【００６０】
図７〜図９は上記ローディング機構に８ｃｍＣＤ１８ｂをローディングする各段階を順次示している。図７は８ｃｍＣＤ１８ｂが奥側のローラ３０およびローラ３１に当接した状態を示している。
【００６１】
このとき、アーム３７は８ｃｍＣＤ１８ｂにより十分に回動されてないためそのピン３７ａがガイド溝３４ａの円弧部にとどまり、第２のスライダ３２および第３のスライダ３３は外側に開くことができず、第１のスライダ３４に対しては、ロックされた状態となっている。
【００６２】
この状態では図８に示すように、ローラ３０およびローラ３１は外側に開くことができず、トッププレート３９のガイド溝３９ｃ、３９ｃの直線部にガイドされ、スライダ３４と一体に奥側に送られる。
【００６３】
図９は第１のスライダ３４がトッププレート３９のストッパ３９ｄ、３９ｄと当接して停止した状態を示している。このとき第１のスライダ３４は１２ｃｍＣＤ１８ａのローディングのときと同様のクランプ開始位置にあり、以下、１２ｃｍＣＤ１８ａと同様に８ｃｍＣＤが再生状態となり、また、アンローディング動作が行われる。
【００６４】
図１０に１２ｃｍＣＤ１８ａをローディングするときと、８ｃｍＣＤ１８ｂをローディングするときとでのディスクがローラ３０およびローラ３１に当接した直後のアーム３７を２位置で示している。１２ｃｍＣＤ１８ａではアーム３７のピン３７ａは８ｃｍＣＤ１８ｂのときよりＡの距離だけ奥側に送られている。
【００６５】
このことによりローラ３０およびローラ３１がトッププレート３９のガイド溝３９ｃ、３９ｃの直線部または外側傾斜部にガイドされるかが決定され、いずれの場合も第１のスライダ３４は同一の位置で停止してクランプ動作等が開始される。
【００６６】
上記した実施例のディスク装置のローディング機構では、ディスクが送りローラ２０、押えローラ２４と従動ローラ２６により奥側のローラ３０およびローラ３１と当接するまでは送りローラ２０、押えローラ２４およびディスクが軽く接触する挿入口の上面で上下位置が規制される。
【００６７】
そして、奥側のローラ３０およびローラ３１と当接し再生位置まで送られる間は送りローラ２０、押えローラ２４と従動ローラ２６および奥側のローラ３０およびローラ３１で上下位置が規制されるので、ディスクの上下の面がターンテーブル、ガイド部材等と強く接触することがなく傷付けられる恐れがない。また、装置内部にディスクの上下方向のガイド部材を設ける必要がないので構造が簡単である。
【００６８】
さらに、第１のスライダ３４がクランプ動作を開始させるトリガー部材を８ｃｍＣＤと１２ｃｍＣＤとで同一位置で動作させるので、トリガー部材の動作位置が同じであり、クランプ動作等を行う機構が簡単となり、また、位置精度も高くすることができ、クランプ動作等の誤動作が防止される。
【００６９】
実施例は以上のように構成されているが発明はこれに限られず、例えば、クランプ動作等を行う機構は他の周知の機構を用いてもこの発明の効果を得ることができる。
【図面の簡単な説明】
【００７０】
【図１】この発明の実施例であるディスク装置のローディング機構を示す分解斜視図である。
【図２】同ディスク装置を示す平面図である。
【図３】同ディスク装置に１２ｃｍＣＤを挿入した直後の状態を示す平面図である。
【図４】同ディスク装置の１２ｃｍＣＤのローデング途中の状態を示す平面図である。
【図５】同ディスク装置において１２ｃｍＣＤが停止位置まで送り込まれた状態を示す平面図である。
【図６】同ディスク装置における１２ｃｍＣＤのローディング終了状態を示す平面図である。
【図７】同ディスク装置に８ｃｍＣＤを挿入した直後の状態を示す平面図である。
【図８】同ディスク装置の８ｃｍＣＤのローデング途中の状態を示す平面図である。
【図９】同ディスク装置において８ｃｍＣＤが停止位置まで送り込まれた状態を示す平面図である。
【図１０】同ディスク装置の動作を説明するための平面図である。
【図１１】従来のディスク装置のローディング機構の例を示す分解斜視図である。
【図１２】同ディスク装置の１２ｃｍＣＤのローデング途中の状態を示す平面図である。
【図１３】同ディスク装置における１２ｃｍＣＤのローディング終了状態を示す平面図である。
【図１４】同ディスク装置の８ｃｍＣＤのローデング途中の状態を示す平面図である。
【図１５】同ディスク装置における８ｃｍＣＤのローディング終了状態を示す平面図である。
【符号の説明】
【００７１】
１  シャーシ
２  再生機構
３  ローラ機構
４  ローディング機構
５  カバー板金
６  アーム
７  アーム
８  引張りコイルばね
９  引張りコイルばね
１０  アーム、１０ａ  ピン、１０ｂ  ピン
１１  アーム、１１ａ  溝
１２  引張りコイルばね
１３  アーム、１３ａ  凹部、１３ｂ  ピン
１３ｄ  引っ張りコイルばね
１４  アーム、１４ａ  軸、１４ｂ  ピン、１４ｃ  ピン
１５  スライダ、１５ａ  溝、１５ｂ  溝
１６  引張りコイルばね
１７  クランパプレート
１８ａ  １２ｃｍＣＤ、１８ｂ  ８ｃｍＣＤ
１９  シャーシ
２０  送りローラ
２１  ギヤ
２２  駆動軸
２３  スライダ
２４  押えローラ
２５  モータ
２６  従動ローラ
２７  スライダ
２８  ギヤ
２９  引張りコイルばね
３０  ローラ
３１  ローラ
３２  第２のスライダ、３２ａ  ピン
３３  第３のスライダ、３３ａ  ピン
３４  第１のスライダ、３４ａ  ガイド溝、３４ｂ  ピン、３４ｃ  溝、３４ｄ  ピン  ３５  ギヤ
３６  引張りコイルばね
３７  アーム、３７ａ  ピン
３８  捩じりコイルばね
３９  トッププレート、３９ａ  溝、３９ｂ  溝、３９ｃ  ガイド溝
３９ｄ  ストッパ
４０  レバー、４０ａ  溝、４０ｂ  ピン、４０ｃ  軸
４１  捩じりコイルばね
４２  スライダ、４２ａ  ラック、４２ｂ  カム溝、４２ｃ  溝
４３  ギヤ
４４  スライダ、４４ａ  ラック、４４ｂ  溝、４４ｃ  ピン
４５  レバー
４６  レバー
４７  引張りコイルばね
４８  引張りコイルばね
４９  再生ユニットシャーシ、４９ａ  ピン、４９ｂ  軸、４９ｃ  ターンテーブル
【図１】
2008021381.tif 000003
【図２】
2008021381.tif 000004
【図３】
2008021381.tif 000005
【図４】
2008021381.tif 000006
【図５】
2008021381.tif 000007
【図６】
2008021381.tif 000008
【図７】
2008021381.tif 000009
【図８】
2008021381.tif 000010
【図９】
2008021381.tif 000011
【図１０】
2008021381.tif 000012
【図１１】
2008021381.tif 000013
【図１２】
2008021381.tif 000014
【図１３】
2008021381.tif 000015
【図１４】
2008021381.tif 000016
【図１５】
2008021381.tif 000017